(57)【特許請求の範囲】
【請求項１】
コンピュータに対して操作指令を発信するタッチパネル機能を備えた表示部の表示部分に対して送風を行うための、前記表示部周辺の一部分に備えつけられた送風部と、
前記コンピュータが利用されているか否かの判断をする判断部と、
前記判断に応じて前記送風部を制御する送風制御部と
を備え、
前記送風制御部は、コンピュータが利用されていると前記判断部により判断された際、前記送風部の送風を止めるように制御するものである
ことを特徴とするディスプレイ防塵装置。
【請求項２】
前記送風制御部は、コンピュータが利用されていないと前記判断部により判断された際、前記送風部の送風を行うように制御するものであることを特徴とする請求項１記載のディスプレイ防塵装置。
【請求項３】
前記判断部は、
前記タッチパネルによる操作指令が所定の時間内に発信されているときは、コンピュータが利用されていると判断し、前記タッチパネルによる操作指令が、所定の時間内に発信されていないときは、コンピュータが利用されていないと判断するものであることを特徴とする請求項１又は請求項２記載のディスプレイ防塵装置。
【請求項４】
操作者が前記コンピュータまたは前記表示部の近傍に存在するか否かを認識する操作者センサーを更に備え、
前記判断部は、
前記操作者が前記コンピュータまたは前記表示部の近傍に存在すると前記操作者センサーが認識したとき、前記コンピュータが利用されていると判断し、前記操作者が前記コンピュータまたは前記表示部の近傍に存在しないと前記操作者センサーが認識したとき、前記コンピュータが利用されていないと判断することを特徴とする請求項１から３いずれか１項記載のディスプレイ防塵装置。
【請求項５】
前記送風部は、前記ディスプレイ防塵装置を冷却するための空調システムにおける排気口を兼ねるものであることを特徴とする請求項１から４いずれか１項記載のディスプレイ防塵装置。
【請求項６】
コンピュータに対して操作指令を発信するタッチパネル機能を備えた表示部周辺の一部分から、前記表示部の表示部分に対して送風を行うステップと、
前記コンピュータが利用されているか否かを判断するステップと、
前記コンピュータが利用されていると判断されたか否かに応じて、前記送風を制御するステップとを有し、
コンピュータが利用されていると判断された際、前記送風を止めるように制御する
ことを特徴とするディスプレイ防塵方法。
【請求項７】
請求項６記載のディスプレイ防塵方法をコンピュータに実行させるためのディスプレイ防塵プログラム。
【発明の詳細な説明】
【技術分野】
【０００１】
本発明は、ディスプレイ防塵装置、ディスプレイ防塵方法およびディスプレイ防塵プログラムに関し、特にコンピュータに対して操作指令を発信するタッチパネル機能を備えた表示部に適用して好適なディスプレイ防塵装置、ディスプレイ防塵方法およびディスプレイ防塵プログラムに関するものである。
【背景技術】
【０００２】
従来、タッチパネル機能を備えた表示装置では、画面上に静電気を帯電することなどにより、画面に付着する塵埃等の異物が堆積してしまい、タッチパネルの操作性に影響を与えるという問題があった。
タッチパネル機能を備えたディスプレイ装置において、プラズマイオンとマイナスイオンを交互に発生させ、当該イオンを含む空気をディスプレイ装置の表示面に送風し、表示面に付着した塵埃を清掃する技術が、特許文献１に提案されている。
【０００３】
また、排気ファンを有するディスプレイ装置において、当該排気ファンの放熱効率を低下させることなくディスプレイに付着した埃塵を吹き飛ばす技術が、特許文献２に提案されている。
【０００４】
また、タッチパネル機能を備えたディスプレイ装置において、タッチパネルと表示部との間で空気の対流を生じさせることにより、埃塵の異物を堆積することを防止する技術が、特許文献３に提案されている。
【先行技術文献】
【特許文献】
【０００５】
【特許文献１】特開２００８−２９２８７２号公報
【特許文献２】特開２００９−２０１７０号公報
【特許文献３】特開２００９−４７９８７号公報
【発明の概要】
【発明が解決しようとする課題】
【０００６】
しかしながら、特許文献１および２に記載された表示装置では、表示部に塵埃が堆積するのを防止できないという問題があった。
また、特許文献３に記載された表示装置は、ユーザがコンピュータを利用している際に、タッチパネルと表示部との間で空気の対流を生じさせ、塵埃が舞いあがることにより、ユーザが表示部を視認しづらくなるという問題があった。
【０００７】
このように、上述した表示装置には、表示部に塵埃が堆積するのを防止できず、またその塵埃の堆積を防止しようとすると、コンピュータを利用しているユーザが表示部を視認しづらくなるという解決するべき課題があった。
【０００８】
そこで、本発明の目的は、表示部に塵埃が堆積するのを防止できず、またその塵埃の堆積を防止しようとすると、コンピュータを利用しているユーザが表示部を視認しづらくなるという、上述の課題を解決するディスプレイ防塵装置、ディスプレイ防塵方法およびディスプレイ防塵プログラムを提供することにある。
【課題を解決するための手段】
【０００９】
前述の課題を解決するため、本発明によるディスプレイ防塵装置、ディスプレイ防塵方法およびディスプレイ防塵プログラムは、次のような特徴的な構成を採用している。
（１）コンピュータに対して操作指令を発信するタッチパネル機能を備えた表示部の表示部分に対して送風を行うための、前記表示部周辺の一部分に備えつけられた送風部と、
前記コンピュータが利用されているか否かの判断をする判断部と、
前記判断に応じて前記送風部を制御する送風制御部と
を備え、
前記送風制御部は、コンピュータが利用されていると前記判断部により判断された際、前記送風部の送風を止めるように制御するものである
ディスプレイ防塵装置。
（２）コンピュータに対して操作指令を発信するタッチパネル機能を備えた表示部周辺の一部分から、前記表示部の表示部分に対して送風を行うステップと、
前記コンピュータが利用されているか否かを判断するステップと、
前記コンピュータが利用されていると判断されたか否かに応じて、前記送風を制御するステップとを有し、
コンピュータが利用されていると判断された際、前記送風を止めるように制御する
ディスプレイ防塵方法。
（３）上記（２）のディスプレイ防塵方法をコンピュータに実行させるためのディスプレイ防塵プログラム。
【発明の効果】
【００１０】
本発明によれば、表示部に塵埃が堆積するのを防止し、しかもコンピュータを利用しているユーザによる表示部の視認性の低下を招かないディスプレイ防塵装置、ディスプレイ防塵方法およびディスプレイ防塵プログラムを提供できる。
【図面の簡単な説明】
【００１１】
【図１】本発明の実施形態におけるディスプレイ防塵装置の構成を表す機能ブロック図
【図２】本発明の実施形態におけるディスプレイから送風されるイメージ図
【発明を実施するための形態】
【００１２】
本発明を実施するための形態の説明に先立って、本発明の主旨を説明する。
前述のとおり、本発明のディスプレイ防塵装置は、コンピュータに対して操作指令を発信するタッチパネル機能を備えた表示部の表示部分に対して送風を行うための、前記表示部周辺の一部分に備えつけられた送風部と、前記コンピュータが利用されているか否かの判断をする判断部と、前記判断に応じて前記送風部を制御する送風制御部とを備えるものである。
【００１３】
ここで、「送風制御部」とは、送風部の空気を吹きつける量を制御するように、送風部に対して指令を出すものである。例えば、送風制御部は、コンピュータが利用されていると判断された際、送風部の送風を止めるように制御するものであってもよい。また、送風制御部は、コンピュータが利用されていないと判断された際、送風部の送風を行うように制御するものであってもよい。
【００１４】
「判断部」は、ユーザがコンピュータを利用しているか否かを判断するものであって、例えば、タッチパネルにより操作指令が、所定の時間内に発信されている際、コンピュータが利用されていると判断し、タッチパネルにより操作指令が、所定の時間内に発信されていない際、コンピュータが利用されていないと判断するものであってもよい。
【００１５】
また、コンピュータまたは前記ディスプレイ防塵装置は、操作者がコンピュータまたはディスプレイ防塵装置付近に存在するか否かを認識するセンサーを更に備える場合においては、判断部は、センサーにより操作者が存在すると判断した際、コンピュータが利用されていると判断し、センサーにより操作者が存在しないと判断した際、コンピュータが利用されていないと判断するものであってもよい。
【００１６】
「送風部」は、表示部の表示部分に対して、空気を吹きつけるものである。例えば、送風部は、ディスプレイ防塵装置を冷却するための空調システムにおける排気口を兼ねるものであってもよい。
【００１７】
本発明のディスプレイ防塵方法は、コンピュータに対して操作指令を発信するタッチパネル機能を備えた表示部を有するディスプレイ防塵装置が、表示部周辺の一部分から、表示部の表示部分に対して送風を行うステップと、コンピュータが利用されているか否かを判断するステップと、コンピュータが利用されていると判断されたか否かに応じて、送風部を制御するステップを有する。
【００１８】
以下、本発明の実施の形態について、図面を参照しながら説明する。
図１は、本発明の実施形態におけるディスプレイ防塵装置１の構成を表す機能ブロック図である。
【００１９】
図１に示すディスプレイ防塵装置１は、コンピュータ５に対して操作指令を発信するタッチパネル機能を備えた表示部１０と、表示部１０の表示部分に対して送風を行うための、表示部周辺の一部分に備えつけられた送風部１５と、コンピュータ５が利用されているか否かを判断する判断部２０と、コンピュータ５が利用されていると判断されたか否かに応じて、送風部１５を制御する送風制御部３０とを備えたものである。
【００２０】
送風部１５は、図２に示すように、表示部１０の表示部分に対して、空気Ｗを吹きつけるものである。これにより、表示部分あるいはタッチパネル機構の表面に沿って空気Ｗを吹きつけることにより、塵埃の堆積を防止し、清掃不要またはタッチパネル誤操作の防止を行うことができる。空気Ｗを吹き付ける向きは、図２の矢印方向（上から下へ向かう方向）に限る必要はなく、他の方向例えば左から右へ向かう方向であっても差支えないことは無論である。
また、送風部１５は、ディスプレイ防塵装置１を冷却するための空調システムにおける排気口（熱対策用のＦＡＮ）を兼ねるものであってもよく、空気Ｗは排気用ＦＡＮのエアーであってもよい。
【００２１】
また、送風部１５は、表示部１０の表示部分周辺の上・下・右・左の少なくとも一つ以上、単数または複数設置されているものであればよい。この送風部１５は、タッチパネル操作部のサイズ、実装向き、周囲形状等の実装条件により最適構成するものである。
更に、ディスプレイ防塵装置１は、吸気ＦＡＮにより該装置１内を正圧にし、上記排気口を表示部分またはタッチパネル操作部の周辺に配置するものであってもよい。
なお、送風部１５は、送風制御部３０により制御されるものである。そのため、送風制御部３０が、送風のＯＮ／ＯＦＦ、若しくは送風の量を制御する指令を送風部１５に対して発信する。
【００２２】
判断部２０は、ユーザがコンピュータ５を利用しているか否かを判断するものであって、判断した結果を送風制御部３０に送信するものである。例えば、判断部２０は、タッチパネルにより操作指令が、所定の時間内に発信されている際（所定の時間として、数十秒／数分後でもよいし、ゼロ秒であってもよい）、コンピュータ５が利用されていると判断する。また、判断部２０は、タッチパネルにより操作指令が、所定の時間内（所定の時間として、数十秒／数分後でもよいし、ゼロ秒であってもよい）に発信されていない際、コンピュータ５が利用されていないと判断する。
【００２３】
また、判断部２０は、タッチパネル操作が終了したと判断した際、コンピュータ５が利用されていないと判断してもよい。一方、判断部２０は、タッチパネル操作が開始したと判断した際、コンピュータ５が利用されていると判断してもよい。
そして、送風制御部３０は、判断部２０の判断結果に基づいて、送風部１５の空気Ｗを吹きつける量を制御するように、送風部１５に対して指令を出してもよい。
また、判断部２０コンピュータ５またはディスプレイ防塵装置１は、操作者がコンピュータ５またはディスプレイ防塵装置１付近に存在するか否かを認識するセンサー３５を更に備える場合においては、判断部２０は、センサー３５により操作者が存在すると判断した際、コンピュータ５が利用されていると判断し、センサー３５により操作者が存在しないと判断した際、コンピュータ５が利用されていないと判断するものであってもよい。
【００２４】
また、判断部２０は、ユーザによるタッチパネルの押下または、コンピュータ５に磁気記録媒体等のカード等を挿入されると同時に、ディスプレイ防塵装置１またはコンピュータ５が利用されているものと判断する。
送風制御部３０は、判断部２０の判断結果に基づいて、送風部１５の空気Ｗを吹きつける量を制御するように、送風部１５に対して指令を出すものである。送風制御部３０は、判断部２０の判断結果に基づき、ディスプレイ防塵装置１またはコンピュータ５が利用されていると判断された際、送風部１５の送風（空気Ｗ）を止めるように制御するものである。また、送風制御部３０は、判断部２０の判断結果に基づき、ディスプレイ防塵装置１またはコンピュータ５が利用されていないと判断された際、送風部１５の送風（空気Ｗ）を行うように制御するものである。
【００２５】
以上の実施形態のような、ディスプレイ防塵装置１によれば、コンピュータ５に対して操作指令を発信するタッチパネル機能を備えた表示部１０を有するディスプレイ防塵装置１が、コンピュータ５が利用されているか否かを判断し、コンピュータ５が利用されていると判断されたか否かに応じて、送風部１５を制御することにより、タッチパネル機能を備えたディスプレイ装置１の表示部１０に塵埃が堆積しないように未然に防止するとともに、ユーザがコンピュータを利用していない際に表示部に送風することができる。これにより、送風部１５から吹きだされる空気Ｗによって塵埃の堆積が防止され、ユーザの表示部１０の清掃作業による負担が軽減される。
【００２６】
また、以上の実施形態のような、ディスプレイ防塵装置１によれば、塵埃の堆積によるタッチパネル機能の誤操作または、清掃作業によるタッチパネルの誤動作を防止することができる。
【００２７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。  
【符号の説明】
【００２８】
１    ディスプレイ防塵装置
５    コンピュータ
１０    表示部
１５    送風部
２０    判断部
３０    送風制御部
３５    センサー    
【図１】
0005403676.tif 000002
【図２】
0005403676.tif 000003